(57)【要約】【課題】容易に移動させることができるとともに、移動中及び所望位置で座部が急激に床面に衝突することも防止できる椅子式マッサージ機を提供する。【解決手段】座部３及び背もたれ４を有した椅子本体２に空気袋（マッサージ用施療子）５、６ａ,６ｂ、７、８ａ,８ｂを設ける。移動輪２２を、椅子本体２の重心Ｇの位置より後方に設ける。ジャッキ用空気袋２３を、重心Ｇの位置又はこの重心位置より前方に設ける。空気袋２３は、その非使用時に収縮し使用時に座部３の下方に突出した膨張状態に保持されるようにしている。【選択図】      図２
2006034448.tif 000002
【特許請求の範囲】
【請求項１】
座部及びこの座部の後部に設けられる背もたれを有した椅子本体にマッサージ用施療子を設けた椅子式マッサージ機において、
移動輪を前記椅子本体の重心位置より後方に設け、前記座部の下方に突出した膨張状態を保持して使用されるとともにこの膨張状態で前記椅子本体を前記移動輪を支点として持ち上げるジャッキ用空気袋を前記移動輪より前方に設けてなる椅子式マッサージ機。
【請求項２】
座部及びこの座部の後部に設けられる背もたれを有した椅子本体にマッサージ用施療子を設けた椅子式マッサージ機において、
移動輪を前記椅子本体の重心位置より後方に設け、前記座部の下方に突出した膨張状態を保持して使用されるジャッキ用空気袋を前記重心位置又はこの重心位置より前方に設けてなる椅子式マッサージ機。
【発明の詳細な説明】
【技術分野】
【０００１】
本発明は、背もたれ付きの椅子本体に設けたマッサージ用施療子で着座者に対するマッサージを施すことが可能な椅子式マッサージ機に関する。
【背景技術】
【０００２】
椅子本体の背もたれに、一対の揉み玉を用いて叩きマッサージと揉みマッサージなどを行うマッサージユニット、及びエアーの給排により膨縮してエアーマッサージを行うエアセルを設けた椅子式マッサージ機が知られている（例えば特許文献1参照。）。
【０００３】
この種の椅子式マッサージ機では、その座部の下端部に脚部を設けている。この脚部の後方突出部は背もたれの下部裏面に下方から対向するように位置していて、この突出部にキャスタを設けている。この構成を備えることで、椅子式マッサージ機を移動させる場合には、キャスタを支点として椅子本体の前側部位が上がるように背もたれを掴んで椅子本体を後傾させてから、椅子本体を押したり引いたりすることによって、キャスタの回転を伴って椅子本体を移動させることができる。
【特許文献１】特開2004−41383号公報（段落0036,0037,0044,0045、図１）
【発明の開示】
【発明が解決しようとする課題】
【０００４】
椅子式マッサージ機では、着座者の上半身などの重さに抗して施療子をマッサージ動作させる際の反力を支持できる構造が採用されている。このため、通常の椅子に比較して重量が重く、特に、揉み玉を用いるマッサージユニットを備える場合には、重量がより大きくなる傾向があり、数十Kgに達するものもまれではない。
【０００５】
このように重い椅子式マッサージ機の背もたれを掴んで椅子本体を後側に傾ける作業は、かなりの困難さを伴うため、椅子式マッサージ機を容易に移動させることはできず不便である。しかも、椅子式マッサージ機の移動中は、キャスタのみが床面に接触した不安定な状態にあるので、背もたれの取り扱いによっては、キャスタを中心に椅子本体が急激に前側に回動して座部が床面に衝突することもある。同様に、所望位置まで移動した状態で、床面に座部を接触させる場合にも、キャスタを中心に椅子本体が急激に前側に回動して座部が床面に衝突することがあり、その改善が望まれている。
【０００６】
本発明の目的は、容易に移動させることができるとともに、移動中及び所望位置で座部が急激に床面に衝突することも防止できる椅子式マッサージ機を提供することにある。
【課題を解決するための手段】
【０００７】
本発明は、座部及び背もたれを有した椅子本体にマッサージ用施療子を設け、椅子本体の重心位置又はこの重心位置より後方に移動輪を設けるとともに、重心位置より前方にジャッキ用空気袋を設け、この空気袋がその使用時に座部の下方に突出した膨張状態に保持されるようにしている。
【発明の効果】
【０００８】
本発明によれば、容易に移動させることができるとともに、移動中及び所望位置で座部が急激に床面に衝突することも防止できる椅子式マッサージ機を提供できる。
【発明を実施するための最良の形態】
【０００９】
図１〜図３を参照して本発明の一実施形態を説明する。
【００１０】
図１及び図２中符号１で示す椅子式マッサージ機は椅子本体２を備えている。この椅子本体２は、座部３と、この座部３の後端に連続するように設けられた背もたれ４とを備えている。座部３は、座部本体３ａと、座部本体３ａの幅方向両端に連結された側部本体支え３ｂと、上端が座部本体３ａの前部裏面に連結されるとともに幅方向両端が側部支え３ｂに連結された前部本体支え３ｃとを有している。一対の側部本体支え３ｂは肘掛けを兼ねている。背もたれ４は、起倒できないように固定して、或いは起倒できるようにリクライニング可能に設けられる。
【００１１】
椅子本体２の座部３と背もたれ４の少なくとも一方にはマッサージ用施療子として例えば膨縮する空気袋が設けられている。図１に例示したように本実施形態では、座部３に尻部マッサージ用の空気袋５が配設されているとともに、背もたれ４に、一対の肩部マッサージ用の空気袋６ａ、６ｂと、背筋部マッサージ用の空気袋７と、一対の腰部マッサージ用の空気袋８ａ、８ｂとが配設されている。これらの空気袋は、図２(Ａ)〜（Ｃ）に示すように座部本体３ａの下方に配置された駆動部であるエアー給排気装置９によって繰り返し膨縮されて、着座者に対してエアーマッサージを施す。
【００１２】
図３に示すようにエアー給排気装置９は、圧縮空気を生成するエアーポンプ１１と、排気が可能なエアー分配装置例えばロータリーバルブ１２と、第１の電磁弁１３と、第２の電磁弁１４と、第３の電磁弁１５と、これらを制御する制御装置１６とを備えている。制御装置１６にはこれに接続された操作部例えばリモートコントローラ１７から使用者が所望するマッサージモードの指定信号が入力される。マッサージモードには、所望の空気袋を繰り返し膨縮させるポイントモード、選択された複数の空気袋を順番に繰り返し膨縮させるコースモード等がある。ロータリーバルブ１２は、エアーポンプ１１が生成した空気を、マッサージモードに従って所定の空気袋に供給するとともに、それ以外の空気袋から戻される空気を外部に排出させる。第１の電磁弁１３、第２の電磁弁１４、及び第３の電磁弁１５は、後述のジャッキ用空気袋の膨張と収縮との制御を担うものである。
【００１３】
なお、背もたれ４に設けられるマッサージ用施療子としては、膨縮する空気袋に代えて、一対の揉み玉に叩き動作や揉み動作等を実行させるいわゆる機械式のマッサージユニットを用いてもよく、或いはバイブレータなども用いることが可能である。
【００１４】
左右の側部本体支え３ｂはその下端に脚部材２１を有している。これら脚部材２１は通常時床面Ｆに接する。夫々の脚部材２１は前後方向に延びており、その後端部は側部本体支え３ｂの後端面より突出されて、斜め上向きに曲げられている。左右一対の脚部材２１の後端部は傾斜した背もたれ４の背面に下方から対向していて、夫々移動輪２２が取付けられている。これらの移動輪２２は、図２（Ａ）〜（Ｃ）中符号Ｇで示した椅子本体２の重心、言い換えれば、椅子式マッサージ機１全体の重心Ｇの位置より後方に位置している。夫々の移動輪２２には椅子式マッサージ機１を移動する際に向きを容易に変えることが可能なキャスタを用いることが好ましい。脚部材２１がその後端部を除いて床面Ｆに支持された通常の状態で、移動輪２２は床面Ｆから離れていても或いは軽微に接触していてもよい。
【００１５】
座部３の前部、詳しくは重心Ｇの位置より前側に位置してジャッキ用空気袋２３が設けられている。なお、ジャッキ用空気袋２３は重心Ｇの位置（重心それ自体ではなくその直下の位置である。）に設けてもよい。図２（Ａ）に示すように座部３はエアー給排気装置９が搭載される設置板２４を有している。設置板２４は床面Ｆに近接して対向しており、その下面にジャッキ用空気袋２３が支持されている。ジャッキ用空気袋２３は座部３の幅方向に連続して延びており、その両端は左右一対の脚部材２１の間近に位置している。なお、単一のジャッキ用空気袋２３に代えて、同時に膨縮する複数のジャッキ用空気袋２３を用いることも可能であり、その場合少なくとも二個のジャッキ用空気袋２３を左右一対の脚部材２１の間近に夫々配置すればよい。
【００１６】
図３に示すようにジャッキ用空気袋２３はエアーポンプ１１の吐出口に、第１の電磁弁１３と第２の電磁弁１４と第３の電磁弁１５とを順次介して接続されている。第１の電磁弁１３は２ポートの電磁式開閉弁である。第２の電磁弁１４は３ポートの電磁式方向切換え弁である。第３の電磁弁１５は２ポートの電磁式開閉弁である。
【００１７】
第１の電磁弁１３の一方のポートはエアーポンプ１１の吐出口に接続され、第１の電磁弁１３の他方のポートは第２の電磁弁１４の第１ポートに接続されている。第２の電磁弁１４の第２ポートは第３の電磁弁１５の一方のポートに接続されている。第２の電磁弁１４の第３ポートは大気中に開放された排気ポートである。第３の電磁弁１５の他方のポートはジャッキ用空気袋２３に接続されている。
【００１８】
第１の電磁弁１３及び第３の電磁弁１５は、夫々制御装置１６での制御により通電された時に開かれ、非通電の状態では閉じられるようになっている。第２の電磁弁１４は制御装置１６での制御により、非通電とされた時は第２ポートと第３ポートとを接続する排気位置に切換り、通電された時に第１ポートと第２ポートとを接続する給気位置に切換るようになっている。なお、マッサージ用施療子に空気袋を用いない場合、第１の電磁弁１３は省略できる。
【００１９】
ジャッキ用空気袋２３の非使用時（収縮時）には、第２の電磁弁１４が排気位置に切換っているとともに、第１の電磁弁１３及び第３の電磁弁１５が夫々閉じ状態を維持する。又、ジャッキ用空気袋２３の使用時には、第２の電磁弁１４が給気位置に切換るとともに、第１の電磁弁１３及び第３の電磁弁１５が閉じ状態から開き状態に変わって、ジャッキ用空気袋２３に給気し、所定の給気後、第１の電磁弁１３及び第３の電磁弁１５が閉じ状態に切換って、これを維持する。
【００２０】
通常時には、第１の電磁弁１３、第２の電磁弁１４、及び第３の電磁弁１５はいずれも通電されていないので、第２の電磁弁１４が排気位置となっているとともに、第１の電磁弁１３及び第３の電磁弁１５が閉じ状態を維持している。このため、エアーポンプ１１で生成された圧縮空気がジャッキ用空気袋２３に供給されることがないとともに、マッサージ用空気袋を使用してのマッサージの際にジャッキ用空気袋２３に至る配管系から空気が漏れることもなく、又、ジャッキ用空気袋２３は収縮状態を維持している。
【００２１】
次に、椅子式マッサージ機１を移動させる場合を説明する。
【００２２】
ジャッキ用空気袋２３は、椅子式マッサージ機１を移動させる際に膨張される。すなわち、通常、椅子式マッサージ機１は図示しない電源に接続されているので、リモートコントローラ１７の運搬釦（図示しない）が押されることに伴って、制御装置１６により各電磁弁１３〜１５への通電がなされて、まず、第１の電磁弁１３および第３の電磁弁１５が夫々閉じ状態から開き状態に変わるとともに、第２の電磁弁１４が給気位置に切換る。このため、エアーポンプ１１の駆動に伴ってジャッキ用空気袋２３に対する給気がなされて、この空気袋２３が膨張する。そして、給気所定時間などの管理でジャッキ用空気袋２３に所定量の空気が供給された後、第１の電磁弁１３及び第３の電磁弁１５への通電とともに、第２の電磁弁１４に対する通電も停止される。これにより、第１の電磁弁１３及び第３の電磁弁１５が夫々閉じ状態となるとともに、第２の電磁弁１４が排気位置に切換るので、ジャッキ用空気袋２３が膨張状態に保持される。
【００２３】
このようにして座部３の下面から突出していない状態にあったジャッキ用空気袋２３が、その膨張によって座部３の下方に突出するので、椅子本体２の前側が押し上げられる。すなわち、背もたれ４を後方に引き寄せる操作を要することなく、椅子本体２が移動輪２２を支点として後方に傾けられる。この状態を図２（Ｂ）に示す。
【００２４】
この後、椅子式マッサージ機１の電源を切ってから、図２（Ｃ）に示すようにジャッキ用空気袋２３が床面Ｆから離れた状態となるまで、背もたれ４に手を掛けて椅子本体２を更に後傾させる。この場合、既述のように空気袋２３の膨張に伴うジャッキアップで図２（Ｂ）に示すように既に椅子本体２が後傾しているので、大きい操作力を要することなく容易に実行できる。又、電源が切られる以前に各電磁弁１３〜１５は非通電状態にあって、第１の電磁弁１３及び第３の電磁弁１５がそのまま閉じ状態を維持しているので、第２の電磁弁１４が排気位置に切換っているにもかかわらず、電源が切られてもジャッキ用空気袋２３が膨張状態に保持される。
【００２５】
そして、移動輪２２を回転させながら椅子式マッサージ機１を床面Ｆに沿って所定位置まで移動させることができる。この移動中に、誤って背もたれ４から手を離した場合、椅子本体２はその前側が下がるように移動輪２２を支点として回転するが、床面Ｆとの間に介在して膨張状態に保持されているジャッキ用空気袋２３のクッション作用によって、座部３が急激に床面Ｆに衝突して双方にダメージを与えることが防止される。
【００２６】
このことは、椅子式マッサージ機１が所定位置まで移動された状態で、背もたれ４から手を急に離した場合にも同様である。しかし、所定位置で電源に接続した後に、リモートコントローラ１７での操作に伴って、第３の電磁弁１５を開くように制御する場合には、ジャッキ用空気袋２３内の空気を排気位置にある第２の電磁弁１４を通して排出させて、空気袋２３を収縮させることができる。
【００２７】
以上のように前記構成の椅子式マッサージ機１は、その座部３にジャッキ用空気袋２３を設けたことによって、移動の開始時の椅子本体２の後傾操作が容易であるので、移動を容易にできるとともに、移動中及び所望位置で座部３が急激に床面に衝突することも防止できるものである。
【００２８】
又、この椅子式マッサージ機１は、施療子を用いてマッサージをするかどうかにかかわらず、リモートコントローラ１７での操作に基づいて制御装置１６によりジャッキ用空気袋２３を繰り返し膨縮させることができる。これにより、椅子全体をロッキングチェアのように前後に動揺させることができる。この膨縮は、着座者によるリモートコントローラ１７の手動操作の繰り返し、若しくは予め動揺モードを設定しておいて、それをリモートコントローラ１７で選択することで実行させるようにしてもよい。更に、リモートコントローラ１７にジャッキ用空気袋２３の膨張制御釦を設けるとともに、それに応じて制御装置での制御によりジャッキ用空気袋２３の膨張の程度を選択できるように構成した場合には、座部の角度を変更することが可能である。
【００２９】
更に、本実施形態では、エアー給排気装置９が施療子としての空気袋５、６ａ,６ｂ、７、８ａ,８ｂに共用されているので、エアー給排気装置９を共用できる点で好ましいが、エアー給排気装置９はジャッキ用空気袋２３に専用のものを用意することもできる。
【図面の簡単な説明】
【００３０】
【図１】本発明の一実施形態に係る椅子式マッサージ機を示す斜視図。
【図２】（Ａ）は図１の椅子式マッサージ機が床面に設置された状態を一部切欠いて示す側面図。（Ｂ）は図１の椅子式マッサージ機を移動する際にジャッキアップして後傾斜させた状態を示す側面図。（Ｃ）は図１の椅子式マッサージ機を移動中の状態を示す側面図。
【図３】図１の椅子式マッサージ機の制御系統を示すブロック図。
【符号の説明】
【００３１】
１…椅子式マッサージ機、２…椅子本体、３…座部、４…背もたれ、５…マッサージ用空気袋（施療子）、６ａ,６ｂ…マッサージ用空気袋（施療子）、７…マッサージ用空気袋（施療子）、８ａ,８ｂ…マッサージ用空気袋（施療子）、２１…脚部材、２２…移動輪,２３…ジャッキ用空気袋、Ｆ…床面、Ｇ…重心
【図１】
2006034448.tif 000003
【図２】
2006034448.tif 000004
【図３】
2006034448.tif 000005